(57)【要約】【課題】浴室床表面の残水を容易に除去することができ、防汚性を向上させた浴室を提供する。【解決手段】撥水機能を表面に有する浴室床１と、前記浴室床１表面に沿って浴室の排水口８方向にエアを噴射し浴室床１表面の残水を排水口８に向けて押し出すエア噴射手段２とを有することとする。【選択図】図１
2009079385.tif 000002
【特許請求の範囲】
【請求項１】
撥水機能を表面に有する浴室床と、前記浴室床表面に沿って浴室の排水口方向にエアを噴射し浴室床表面の残水を排水口に向けて押し出すエア噴射手段とを有することを特徴とする浴室。
【請求項２】
エア噴射手段は、浴室床を囲む浴室壁の下部に設けられていることを特徴とする請求項１に記載の浴室。
【請求項３】
浴室床が、水接触角が７０°以上であり、かつΦ１０水滴転落角が２０°以下の撥水機能を表面に有するものであることを特徴とする請求項１または請求項２に記載の浴室。
【発明の詳細な説明】
【技術分野】
【０００１】
本発明は、浴室に関するものである。
【背景技術】
【０００２】
従来より、浴室の床として防水性を有するＦＲＰ（繊維強化プラスチック）等の材質からなる防水床パンが用いられ、岩肌模様や石目模様をその表面に形成して意匠性を向上させている。しかし、排水性が悪いと、防水床パンの表面に島状に残水し、長時間経過しても自然乾燥しないという問題があった。そこで、直線状の親水部分と直線状の撥水部分とが平行に接して配置され、親水部分が排水口に連続した浴室床（例えば、特許文献１参照）が提案されている。この浴室床は、親水性部分に薄い水膜を形成させることで床表面の残水をより短時間で自然乾燥させることできる。また、乾燥昇温した空気を床部材に供給する換気暖房型浴室（例えば、特許文献２参照）も知られている。
【０００３】
ところで、床表面の残水は石鹸垢や皮脂、湯垢等の汚染物質を含んでいる場合がある。この場合には特許文献１または特許文献２のように床表面の残水を乾燥させたとしても、床表面から汚染物質を除去することができず、床表面への汚れの付着、これに起因する悪臭等の問題がある。この問題を解決するために、排水口に向かって傾斜し、撥水機能を表面に有する浴室床が知られている。この浴室床は勾配を利用して床表面の残水を排水口に自動排水させるものであるが、体積の小さな水滴は床の勾配だけでは流れきらず床表面にとどまり、結果として汚染物質を十分に除去することができない。
【特許文献１】特開２００４−１００３５８号公報
【特許文献２】特開平１１−３２４３５５号公報
【発明の開示】
【発明が解決しようとする課題】
【０００４】
本発明は、以上の通りの事情に鑑みてなされたものであり、浴室床表面の残水を容易に除去することができ、防汚性を向上させた浴室を提供することを課題としている。
【課題を解決するための手段】
【０００５】
本発明の浴室は、上記の課題を解決するために、以下のことを特徴とする。
【０００６】
第１には、撥水機能を表面に有する浴室床と、前記浴室床表面に沿って浴室の排水口方向にエアを噴射し浴室床表面の残水を排水口に向けて押し出すエア噴射手段とを有することを特徴とする。
【０００７】
第２には、第１の発明において、エア噴射手段は、浴室床を囲む浴室壁の下部に設けられていることを特徴とする。
【０００８】
第３には、第１又は第２の発明において、浴室床が、水接触角が７０°以上であり、かつΦ１０水滴転落角が２０°以下の撥水機能を表面に有するものであることを特徴とする。
【発明の効果】
【０００９】
第１の発明によれば、浴室床表面が撥水機能を有していることにより、浴室床表面では水滴が形成されやすくなり、浴室床表面の残水が浴室床表面を移動しやすくなる。したがって、このような状態の残水に浴室床表面に沿って浴室の排水口方向にエアを噴射することで、浴室床表面の残水が排水口に向かって容易に押し出され、排水されることになる。体積の小さな水滴であってもエアで押し出されるため、従来のように体積の小さな水滴が浴室床表面にとどまることはない。よって、残水に含有する石鹸垢や皮脂、湯垢等の汚染物質が効果的に除去され、防汚性が向上する。
【００１０】
第２の発明によれば、エア噴射手段の設置場所を特定することで、上記第１の発明の効果を実際上、大きく向上させることができる。
【００１１】
第３の発明によれば、浴室床が、水接触角が７０°以上であり、かつΦ１０水滴転落角が２０°以下の撥水機能を表面に有するものであることにより、浴室床表面ではより水滴が形成されやすくなり、浴室床表面の残水がさらに浴室床表面を移動しやすくなる。
【発明を実施するための最良の形態】
【００１２】
以下に、図面に基づいて本発明の実施形態について説明する。
【００１３】
図１は本発明の一実施形態に係る浴室の概略構成図であり、図２はその浴室のエア噴射手段の設置構造を示す断面図である。
【００１４】
本実施形態に係る浴室は、図１及び図２に示すように、浴室床１、浴槽３、両側壁４ａ，４ｂ、外壁５、ドア６１を備えた出入口壁６、天井７等で浴室が構成されている。浴室床１には浴槽３側の略中央の位置に排水口８が設けられており、洗体時の汚染水等がこの排水口８から外部に排水されるようになっている。また、浴室床１は排水口８が最も低くなるような勾配を有し、浴室床１上の水がこの勾配に沿って流れ、排水口８に向かって集水されやすくなっている。
【００１５】
また、浴室床１はＦＲＰ等の樹脂材料から成形されてなり、撥水機能を表面に有している。撥水機能は、例えば、水接触角が７０°以上であって、かつΦ１０水滴転落角が２０°以下の特性を有するものであることが望まれる。より好ましくは水接触角が８０°以上であって、かつΦ１０水滴転落角が２０°以下である。これによって、浴室床１表面では水滴が形成されやすくなり、浴室床１表面の残水が浴室床１表面を移動しやすくなる。このような撥水機能は、例えば、フッ素系塗料やシリコン系塗料等の撥水性塗料をスプレーコート、リップコート、刷毛塗り等の各種の方法で浴室床１表面に塗布することで実現される。
【００１６】
さらに本発明の浴室はエア噴射手段を有している。エア噴射手段としては、浴室床表面に沿って浴室の排水口方向にエアを噴射でき、浴室床表面の残水を排水口方向に押し出すことができれば、特に限定されるものではない。本実施形態に係るエア噴射手段２は、浴室床１を囲む両側壁４ａ，４ｂ及び出入口壁６の下部の壁内にエアを供給する硬質塩化ビニル樹脂製の配管２２が配設され、その配管２２には複数のエアノズル２１が所定の間隔を持って斜め下方向、つまり浴室床１に向けて取り付けられ、エアノズル２１の先端部２１１からエアが広角に噴射されるようになっている。それぞれのエアノズル２１の先端部２１１は排水口８方向に向けられており、エアノズル２１の先端部２１１から噴射されたエアは浴室床１表面に沿って排水口８方向に流れる。配管２２の高さ、配管２２に取り付けられるエアノズル２１の数や各エアノズル２１間の間隔、さらに配管２２へのエアノズル２１の取り付け角度等は、エアノズル２１の先端部２１１から噴射されたエアが浴室床１全体に行き渡るように適宜に調整、設定される。
【００１７】
さらに、コンプレッサーやエアタンク等のエア供給部２３が配管２２に接続されており、エア供給部２３で生成した圧縮空気は開閉弁２４を介して配管２２に供給されエアノズル２１の先端部２１１から噴射される。開閉弁２４の開閉及び噴射するエアのエア圧の制御は制御部２５でおこなわれる。したがって、浴室床１表面の残水を排水する場合には、制御部２５で所定のエア圧に設定し開閉弁２４を開けて、エアノズル２１の先端部２１１からエアを噴射させる。
【００１８】
本発明の浴室では浴室床表面が撥水機能を有していることにより、上述したように、浴室床表面の残水が所定の水接触角を持ち、浴室床表面を移動しやすくなっている。また、浴室床表面では水滴が形成されやすくもなっている。したがって、例えば、図２に示すようにエアノズル２１の先端部２１１から浴室床１表面に沿って排水口８方向にエアを噴射すると、浴室床１上の水滴Ａが噴射されたエアによって排水口８に向かって容易に押し出され、排水される。よって、水滴Ａに含有する石鹸垢や皮脂、湯垢等の汚染物質が効果的に除去され、防汚性が向上する。
【００１９】
上記実施形態では、浴室床を囲む両側壁及び出入口壁の下部にエアノズルを設置し、三方向からエアを噴射しているが、特にこれに限定されるものではない。例えば、排水口が一方の側壁側に配設されている場合には、その側壁に対向する他方の側壁の下部及び出入口壁の下部にエアノズルを設置して二方向からエアを噴射するようにしてもよいし、対向する側壁の下部にのみ設置して一方向からエアを噴射するようにしてもよい。エアノズルの先端部の形状についても、円形状や幅広形状等、各種形状のものを用いることができる。また、上記実施形態ではエアノズルの先端部から広角にエアを噴射しているが、帯状のエア膜を生成するスリットノズルを用いて、浴室床面に沿って帯状のエア膜を噴射するようにしてもよく、特に限定されるものではない。
【実施例】
【００２０】
＜実施例１〜３、比較例＞
松下電工（株）製「床ホワイトグレー」（比重１．８、厚み３ｍｍ）表面に、撥水性塗料でコーティング（厚さ３μｍ）を施した（実施例１〜３）。これにより、表１に示す撥水特性（Φ１０水滴転落角、水接触角）を持った、撥水機能を表面に有する浴室床を得た。また、撥水処理を施さない浴室床も準備し、これを比較例とした。
【００２１】
各浴室床上に表１に示す所定の大きさの水滴径（Φ５、Φ１０、Φ２０）を有する水滴を準備し、図１及び図２に示した構成のように浴室床を囲む両側壁及び出入口壁の下部に配設されたエアノズルから表１に示すエア圧（０．２５、０．５、１、２〔ｋｇｆ／ｍ２〕で排水口方向に浴室床表面に沿ってエアを噴射した。このときの浴室床上の各水滴の状態を観察した。なお水滴径Φ５の場合には、浴室床の溝の部分に水滴を供給した場合も合わせて評価した。
【００２２】
水滴がエアで押し出されて良好に動いた場合を「◎」、エアで押し出されてゆっくり動いた状態を「○」、エアで押し出されてゆっくり動くが、浴室床の横目地で止まった場合には「△」、エアで押し出されてゆっくり動くが、平面部で止まった場合には「×」、水滴がエアで動かない場合には「××」として評価した。なお「※」は、エアで水滴の形が崩れたり、又は吹き飛ばされたりして、水滴が排水口から排水されなかったことを示す。
【００２３】
表１に結果を示す。
【００２４】
【表１】
2009079385.tif 000003
表１の結果より、表面に撥水機能を有する浴室床（実施例１〜３）に対してエアを噴射することで、その浴室床上の水滴をエアで押し出すことができることを確認した。これにより、浴室床上の水滴を排水できることがわかった。一方で、表面に撥水機能を有していない浴室床（比較例）に対してエアを噴射しても、その浴室床上の水滴を押し出すことができないか、あるいは水滴が吹き飛ばされて排水口より排水されずに残ってしまうことが確認できた。
【図面の簡単な説明】
【００２５】
【図１】本発明の一実施形態に係る浴室の概略構成図である。
【図２】図１の浴室のエア噴射手段の設置構造を示す断面図である。
【符号の説明】
【００２６】
１  浴室床
２  エア噴射手段
２１  エアノズル
２１１  先端部
２２  配管
２３  エア供給部
２４  開閉弁
２５  制御部
８  排水口
Ａ  水滴
【図１】
2009079385.tif 000004
【図２】
2009079385.tif 000005